(57)【要約】【課題】シャッタを円滑に開閉することができ、かつ、トナー漏れを防止できる現像装置を提供すること。【解決手段】  現像装置１は、現像ローラ２と、筐体３と、シャッタ１１と、ロック部材１２Ａ、１２Ｂと、カバー１３とを備える。筐体３は、トナーを受け入れるための第１開口３Ｂを有する。シャッタ１１は、第１開口３Ｂを開ける開位置と、第１開口３Ｂを閉じる閉位置との間を移動可能である。ロック部材１２Ａ、１２Ｂは、シャッタ１１を閉位置にロックするロック位置と、シャッタ１１に対するロックを解除する解除位置との間を移動可能である。ロック部材１２Ａ、１２Ｂは、トナーカートリッジ１００が現像装置１から取り外されたときにロック位置に位置し、トナーカートリッジ１００が現像装置１に装着されたときにトナーカートリッジ１００と接触してロック位置から解除位置へ移動する。カバー１３は、装着方向において、シャッタ１１に対してロック部材１２Ａ、１２Ｂの反対側に位置する。【選択図】図１
2018031984.tif 000002
【特許請求の範囲】
【請求項１】
トナーを収容可能なトナーカートリッジが装着可能な現像装置であって、
第１方向に延びる第１軸について回転可能な現像ローラと、
トナーを収容可能な筐体であって、前記トナーカートリッジ内に収容されたトナーを受け入れるための第１開口を有する筐体と、
前記第１開口を開ける開位置と、前記第１開口を閉じる閉位置との間を移動可能なシャッタと、
前記シャッタを前記閉位置にロックするロック位置と前記シャッタに対するロックを解除する解除位置との間を移動可能なロック部材であって、前記現像装置への前記トナーカートリッジの装着方向において、前記筐体と前記シャッタとの間に位置するロック部材であって、前記トナーカートリッジが前記現像装置から取り外されたときに前記ロック位置に位置し、前記トナーカートリッジが前記現像装置に装着されたときに前記トナーカートリッジと接触して前記ロック位置から前記解除位置へ移動するロック部材と、
前記シャッタが前記開位置に位置するときに、前記第１開口と連通する第２開口を有するカバーと、を備え、
前記カバーは、前記現像装置への前記トナーカートリッジの装着方向において、前記シャッタに対して前記ロック部材の反対側に位置する、ことを特徴とする現像装置。
【請求項２】
前記カバーは、前記トナーカートリッジが前記現像装置に装着されたときに前記トナーカートリッジに設けられる突起が嵌まる溝であって、前記突起が嵌まることにより、前記トナーカートリッジを前記第１開口に対して位置決めするように構成される溝を有する、ことを特徴とする請求項１に記載の現像装置。
【請求項３】
前記シャッタは、前記第１方向と交差する第２方向において、前記開位置と前記閉位置との間を移動可能である、ことを特徴とする請求項１または請求項２に記載の現像装置。
【請求項４】
前記シャッタは、前記第１方向と交差する第２方向に延びるロック溝を有し、
前記ロック部材は、
前記シャッタの移動方向に延びる本体部と、
前記本体部から突出し、前記ロック部材が前記ロック位置に位置するときに、前記シャッタの前記ロック溝に嵌まる第１突出部であって、前記現像装置への前記トナーカートリッジの装着方向において、前記筐体と前記シャッタとの間に位置する第１突出部と、
前記本体部から突出し、前記トナーカートリッジが前記現像装置に装着されたときに、前記トナーカートリッジと接触する第２突出部と、
を備えることを特徴とする、請求項１から請求項３のいずれか一項に記載の現像装置。
【請求項５】
前記シャッタは、前記シャッタの移動方向に並ぶ複数のギア歯であって、前記トナーカートリッジが前記現像装置に装着されたときに、前記トナーカートリッジに設けられる複数のギア歯と噛み合う複数のギア歯を、さらに備え、
前記カバーは、前記シャッタの前記複数のギア歯が露出する第３開口を、さらに有することを特徴とする、請求項１から請求項４のいずれか一項に記載の現像装置。
【請求項６】
前記カバーは、前記シャッタの移動方向に延びるガイド面であって、前記複数のギア歯と接触することにより前記シャッタの移動をガイドするガイド面を、さらに備えることを特徴とする、請求項５に記載の現像装置。
【請求項７】
前記カバーは、前記シャッタと接触する複数のリブであって、前記第１方向と交差する第２方向において互いに間隔を隔てて並ぶ複数のリブを備えることを特徴とする、請求項１から請求項６のいずれか一項に記載の現像装置。
【請求項８】
前記筐体は、
前記カバーが取り付けられる取付部であって、前記第１開口を有する取付部と、
前記第１開口に対して間隔を隔てて位置し、前記取付部から突出する少なくとも１つのボスと
を備え、
前記カバーは、前記ボスが挿入される穴を有することを特徴とする、請求項１から請求項７のいずれか一項に記載の現像装置。
【請求項９】
前記カバーは、前記トナーカートリッジが前記現像装置に装着されたときに前記トナーカートリッジに設けられる突起が嵌まる溝であって、前記突起が嵌まることにより、前記トナーカートリッジを前記第１開口に対して位置決めするように構成される溝を有し、
前記筐体は、
前記第１方向において、前記第１開口に対して、前記溝の反対側に位置し、前記取付部から突出する第１ボスと、
前記第１方向において、前記第１開口と前記溝との間に位置し、前記取付部から突出する第２ボスと
を備えることを特徴とする、請求項８に記載の現像装置。
【請求項１０】
前記カバーは、前記トナーカートリッジが前記現像装置に取り付けられたときに、前記トナーカートリッジと前記カバーとの間をシールするためのシール部材であって、前記カバーにおける前記第２開口の縁に設けられ、前記第２開口の周りを囲むシール部材を備え、
前記第１ボスの突出方向において、前記第１ボスの先端は、前記シール部材の表面よりも前記取付部の近くに位置することを特徴とする、請求項９に記載の現像装置。
【請求項１１】
前記第１ボスの少なくとも一部は、前記筐体の内部空間内に位置することを特徴とする、請求項９または請求項１０のいずれか一項に記載の現像装置。
【請求項１２】
さらに、前記筐体の内部空間に入ったトナーを撹拌するためのアジテータであって、前記筐体の内部空間内に位置し、第１方向に延びる第２軸について回転可能なアジテータを備え、
前記筐体は、前記第２軸に対して前記第１開口の反対側に位置する内面を有し、
前記内部空間内に位置する前記第１ボスと、前記第２軸との距離は、前記筐体の前記内面と、前記第２軸との距離よりも長いことを特徴とする、請求項１１に記載の現像装置。
【請求項１３】
前記筐体は、
前記カバーが取り付けられる取付部であって、前記第１開口を有する取付部と、
前記筐体の内部空間に対して前記取付部よりも突出する突出部であって、前記第１方向において前記カバーと接触する突出部であって、前記筐体の内部空間に連通する第２内部空間を有する突出部と
を備えることを特徴とする、請求項１から請求項１２のいずれか一項に記載の現像装置。
【請求項１４】
さらに、前記筐体の内部空間に入ったトナーを撹拌するためのアジテータであって、前記筐体の内部空間内に位置し、第１方向に延びる第２軸について回転可能なアジテータを備え、
前記筐体は、前記カバーが取り付けられる取付部であって、前記第１開口を有する取付部を備え、
前記突出部の内面と前記第２軸との距離は、前記取付部と前記第２軸との距離よりも長いことを特徴とする、請求項１３に記載の現像装置。
【請求項１５】
前記アジテータは、
前記第２軸に沿って延びるアジテータシャフトと、
前記アジテータシャフトとともに回転可能な第１羽根であって、前記取付部の内面と接触可能な第１羽根と、
前記アジテータシャフトとともに回転可能な第２羽根であって、前記第１方向において前記第１羽根と並ぶ第２羽根であって、前記第１羽根と間隔を隔てて位置する第２羽根と、を備え、
前記第１方向における前記第１羽根の長さは、前記第１方向における前記取付部の長さ以上、前記第１方向における前記取付部の長さの１．５倍以下であることを特徴とする、請求項１４に記載の現像装置。
【請求項１６】
前記筐体は、前記アジテータシャフトと前記取付部との間を通過する前記第１羽根の移動方向において、前記第１開口の上流側の縁から前記内部空間内に突出する突起を備え、
前記第１羽根は、前記アジテータシャフトと前記取付部との間を通過するときに、前記突起に接触することを特徴とする、請求項１５に記載の現像装置。
【発明の詳細な説明】
【技術分野】
【０００１】
本開示は、現像装置に関する。
【背景技術】
【０００２】
従来、トナーカートリッジが着脱可能な現像装置が知られている。トナーカートリッジは、内部にトナーを収容する。現像装置は、現像ローラを備える。
【０００３】
例えば、特許文献１に開示されるように、現像装置は、開口を有する。また、現像装置は、シャッタと、ロック部材とを備える。開口は、トナーカートリッジからのトナーを受け入れる。シャッタは、開口を開ける開位置と、開口を閉じる閉位置との間を移動可能である。ロック部材は、突起を備える。また、シャッタは、突起が嵌まる穴を有している。シャッタが閉位置に位置するときに、ロック部材の突起がシャッタの穴に嵌まることにより、ロック部材は、シャッタを閉位置にロックする。
【０００４】
そして、現像装置に対してトナーカートリッジが装着されたときには、トナーカートリッジは、シャッタに対して、現像装置の筐体と反対側に位置する。このとき、トナーカートリッジに設けられる突起がロック部材に当接することにより、ロック部材の突起がシャッタの穴から外れ、ロック部材によるシャッタのロックが解除される。また、このとき、トナーカートリッジの突起がシャッタの穴に嵌まることにより、トナーカートリッジとシャッタとがともに回転可能となる。この状態で、トナーカートリッジを現像装置に対して回転させることにより、シャッタが閉位置から開位置へ移動する。
【先行技術文献】
【特許文献】
【０００５】
【特許文献１】特開平７−１８１７９３号公報
【発明の概要】
【発明が解決しようとする課題】
【０００６】
しかし、特許文献１に記載のトナーカートリッジでは、トナーカートリッジが回転するにつれて、トナーカートリッジの突起がロック部材から離れる。すると、ロック部材は、シャッタをロックする位置へ向かって戻り、シャッタに対して、トナーカートリッジの反対側から当たる。これにより、ロック部材は、シャッタおよびトナーカートリッジを、筐体から離れる方向へ押圧する。すると、ロック部材からの押圧力により、現像装置の筐体とシャッタとの間や、現像装置の開口と、トナーカートリッジの開口との間に隙間が生じ、隙間からトナーが漏れる可能性がある。
【０００７】
そこで、本開示の目的は、シャッタを円滑に開閉することができ、かつ、トナー漏れを防止できる現像装置を提供することにある。
【課題を解決するための手段】
【０００８】
本開示の現像装置は、トナーを収容可能なトナーカートリッジが装着可能な現像装置である。現像装置は、現像ローラと、筐体と、シャッタと、ロック部材と、カバーとを備える。現像ローラは、第１方向に延びる第１軸について回転可能である。筐体は、トナーを収容可能である。筐体は、トナーカートリッジ内に収容されたトナーを受け入れるための第１開口を有する。シャッタは、第１開口を開ける開位置と、第１開口を閉じる閉位置との間を移動可能である。ロック部材は、シャッタを閉位置にロックするロック位置とシャッタに対するロックを解除する解除位置との間を移動可能である。ロック部材は、現像装置へのトナーカートリッジの装着方向において、筐体とシャッタとの間に位置する。ロック部材は、トナーカートリッジが現像装置から取り外されたときにロック位置に位置する。ロック部材は、トナーカートリッジが現像装置に装着されたときにトナーカートリッジと接触してロック位置から解除位置へ移動する。カバーは、第２開口を有する。第２開口は、シャッタが開位置に位置するときに、第１開口と連通する。カバーは、現像装置へのトナーカートリッジの装着方向において、シャッタに対してロック部材の反対側に位置する。
【０００９】
このような構成によれば、カバーは、現像装置へのトナーカートリッジの装着方向において、シャッタに対してロック部材の反対側に位置する。
【００１０】
そのため、ロック部材がシャッタに当たったときに、ロック部材からの押圧力をカバーで受けることができる。
【００１１】
これにより、ロック部材がシャッタに当たった状態でも、現像装置の筐体とシャッタとの間や、現像装置の第１開口と、トナーカートリッジの開口との間に隙間が生じることを抑制できる。
【００１２】
また、シャッタを、カバーで押さえながら、開位置と閉位置との間で移動させることができる。
【００１３】
その結果、シャッタを円滑に開閉することができ、かつ、トナー漏れを防止できる。
【発明の効果】
【００１４】
本開示の現像装置は、シャッタを円滑に開閉することができ、かつ、トナー漏れを防止できる。
【図面の簡単な説明】
【００１５】
【図１】図１は、現像装置の斜視図である。
【図２】図２は、現像装置の断面図であって、図１のＡ−Ａ線に沿う断面図である。
【図３】図３Ａは、図１に示すカバーおよびシャッタの斜視図である。なお、図３Ａでは、シャッタは、開位置に位置する。図３Ｂは、図３Ａに示すカバーの斜視図である。
【図４】図４は、現像装置に対するトナーカートリッジの装着方向から見た現像装置の側面図である。
【図５】図５は、現像装置の断面図であって、図４のＡ−Ａ線に沿う断面図である。
【図６】図６は、図１に示す筐体の斜視図であって、カバーおよびシャッタを外した状態を示す。
【図７】図７は、現像装置の断面図であって、図４のＢ−Ｂ線に沿う断面図である。
【図８】図８は、現像装置の断面図であって、図４のＣ−Ｃ線に沿う断面図である。
【図９】図９は、トナーカートリッジの斜視図である。
【図１０】図１０は、トナーカートリッジが装着された現像装置の断面図であって、図４のＤ−Ｄ線に相当する断面図であり、トナーカートリッジが現像装置に対して第１位置に位置した状態を示す。
【図１１】図１１は、トナーカートリッジが装着された現像装置の断面図であって、図４のＡ−Ａ線に相当する断面図であり、トナーカートリッジが現像装置に対して第１位置に位置した状態を示す。
【図１２】図１２は、トナーカートリッジが装着された現像装置の断面図であって、図４のＥ−Ｅ線に相当する断面図であり、トナーカートリッジが現像装置に対して第１位置から第２位置へ向かってピボットしている状態を示す。
【図１３】図１３は、トナーカートリッジが装着された現像装置の断面図であって、図４のＤ−Ｄ線に相当する断面図であり、トナーカートリッジが現像装置に対して第２位置に位置した状態を示す。
【発明を実施するための形態】
【００１６】
１．現像装置の概略
図１および図２を参照して、現像装置１の概略について説明する。
【００１７】
現像装置１は、後述するトナーカートリッジ１００（図９参照）から供給されたトナーを用いて、現像するための装置である。なお、現像するとは、感光体にトナーを供給することにより、感光体に形成された静電潜像を可視像に変えることをいう。現像装置１には、トナーカートリッジ１００が装着可能である。なお、後で詳しく説明するが、トナーカートリッジ１００は、現像装置１に装着された後、現像装置１に対して、第１位置（図１０参照）から第２位置（図１３参照）へピボットすることにより、現像装置１に取り付けられる。
【００１８】
現像装置１は、現像ローラ２（図２参照）と、筐体３と、アジテータ４（図２参照）とを備える。なお、現像装置１は、感光体を備えてもよい。現像装置１は、画像形成装置に対して着脱可能なカートリッジタイプであってもよい。
【００１９】
１．１  現像ローラ
現像ローラ２は、第１方向に延びる第１軸Ａ１について回転可能である。現像ローラ２は、感光体に接触可能である。
【００２０】
１．２  筐体
筐体３は、第１方向に延びる。筐体３は、内部空間３Ａを有する。筐体３は、トナーカートリッジ１００から供給されたトナーを、内部空間３Ａ内に収容可能である。
【００２１】
また、筐体３は、第１開口３Ｂ（図１参照）を有する。第１開口３Ｂは、トナーカートリッジ１００が現像装置１に取り付けられた状態で、トナーカートリッジ１００内に収容されたトナーを、筐体３の内部空間３Ａに受け入れるための開口である。第１開口３Ｂは、第１方向において、筐体３の一端部に設けられる。
【００２２】
１．３  アジテータ
アジテータ４は、筐体３の内部空間３Ａ内に位置する。アジテータ４は、筐体３の内部空間３Ａに入ったトナーを撹拌するとともに、筐体３の内部空間３Ａに入ったトナーを現像ローラ２へ向けて搬送する。アジテータ４は、第１方向に延びる第２軸Ａ２について回転可能である。アジテータ４は、アジテータシャフト５と、羽根６とを備える。アジテータシャフト５は、第２軸Ａ２に沿って延びる。羽根６は、アジテータシャフト５とともに回転可能である。
【００２３】
２．現像装置の詳細
次いで、現像装置１の詳細について説明する。
【００２４】
現像装置１は、図１に示すように、さらに、シャッタ１１と、ロック部材１２Ａと、ロック部材１２Ｂと、カバー１３とを備える。
【００２５】
２．１  シャッタ
シャッタ１１は、筐体３の第１開口３Ｂを開閉するための部材である。シャッタ１１は、図１０に示すように、現像装置１に対するトナーカートリッジ１００の装着方向において、第１開口３Ｂとカバー１３との間に位置する。シャッタ１１は、第１開口３Ｂを開ける開位置（図１３参照）と、第１開口３Ｂを閉じる閉位置（図１０参照）との間を移動可能である。シャッタ１１は、第１方向と交差する第２方向において、開位置と閉位置との間を移動可能である。シャッタ１１は、図３Ａに示すように、第１方向および第２方向に延びる。シャッタ１１は、板形状を有している。シャッタ１１は、第１方向において、一端部と他端部とを有する。一端部は、第１方向において、他端部から離れている。
【００２６】
２．１．１  シャッタ開口
シャッタ１１は、シャッタ開口１１Ａを有する。
【００２７】
シャッタ開口１１Ａは、第１方向において、シャッタ１１の一端部と他端部との間に位置する。シャッタ１１が開位置に位置するときに、シャッタ開口１１Ａの少なくとも一部は、第１開口３Ｂ、および、カバー１３の第２開口３２と重なる。これにより、シャッタ開口１１Ａは、シャッタ１１が開位置に位置するときに、トナーカートリッジ１００のトナーが第１開口３Ｂおよび第２開口３２を介して筐体３の内部空間３Ａ内に入ることを許容する。また、シャッタ１１が閉位置に位置するときに、シャッタ開口１１Ａは、第１開口３Ｂ、および、カバー１３の第２開口３２と重ならない。これにより、シャッタ開口１１Ａは、シャッタ１１が閉位置に位置するときに、トナーカートリッジ１００のトナーが第１開口３Ｂおよび第２開口３２を介して筐体３の内部空間３Ａ内に入ることを許容しない。
【００２８】
２．１．２  ロック溝およびロック突起
また、シャッタ１１は、ロック溝１４Ａおよびロック溝１４Ｂを有する。また、シャッタ１１は、ロック突起１５Ａおよびロック突起１５Ｂを備える。
【００２９】
ロック溝１４Ａは、トナーカートリッジ１００が現像装置１から取り外された状態で、シャッタ１１が閉位置に位置するときに、ロック部材１２Ａの第１突出部１９を受け入れるための構成である。ロック溝１４Ｂは、トナーカートリッジ１００が現像装置１から取り外された状態で、シャッタ１１が閉位置に位置するときに、ロック部材１２Ｂの第１突出部１９を受け入れるための構成である。ロック溝１４Ａは、第１方向において、シャッタ１１の一端部に位置する。ロック溝１４Ｂは、第１方向において、シャッタ１１の他端部に位置する。ロック溝１４Ａは、第１方向において、シャッタ１１の一端部から、シャッタ１１の他端部へ向う方向へ凹む。ロック溝１４Ｂは、第１方向において、シャッタ１１の他端部から、シャッタ１１の一端部へ向う方向へ凹む。また、シャッタ１１は、装着方向において、一方面Ｓ１と他方面Ｓ２とを有する。一方面Ｓ１は、カバー１３に向かい合う。他方面Ｓ２は、筐体３に向かい合う。ロック溝１４Ａおよびロック溝１４Ｂは、他方面Ｓ２から一方面Ｓ１へ向かう方向へ凹む。また、ロック溝１４Ａおよびロック溝１４Ｂは、第２方向に延びる。
【００３０】
ロック突起１５Ａは、トナーカートリッジ１００が現像装置１から取り外された状態で、閉位置に位置するシャッタ１１が開位置に移動しようとした場合に、ロック部材１２Ａの第１突出部１９に接触し、閉位置に位置するシャッタ１１が開位置に移動することを止めるための構成である。また、ロック突起１５Ｂは、トナーカートリッジ１００が現像装置１から取り外された状態で、閉位置に位置するシャッタ１１が開位置に移動しようとした場合に、ロック部材１２Ｂの第１突出部１９に接触し、閉位置に位置するシャッタ１１が開位置に移動することを止めるための構成である。ロック突起１５Ａは、シャッタ１１が閉位置から開位置へ移動するときのシャッタ１１の移動方向Ｍにおいて、ロック溝１４Ａの上流側に位置する。また、ロック突起１５Ｂは、移動方向Ｍにおいて、ロック溝１４Ｂの上流側に位置する。ロック突起１５Ａおよびロック突起１５Ｂは、一方面Ｓ１から他方面Ｓ２へ向かう方向へ突出する。また、ロック突起１５Ａは、傾斜面１６Ａを有する。ロック突起１５Ｂは、傾斜面１６Ｂを有する。傾斜面１６Ａおよび傾斜面１６Ｂは、第２方向に延びる。傾斜面１６Ａは、移動方向Ｍへ向かうにつれて、一方面Ｓ１から他方面Ｓ２へ向かう方向へ傾斜する。傾斜面１６Ｂは、移動方向Ｍへ向かうにつれて、一方面Ｓ１から他方面Ｓ２へ向かう方向へ傾斜する。
【００３１】
２．１．３  ギア部
また、図４および図１２に示すように、シャッタ１１は、ギア部１７Ａ、および、ギア部１７Ｂを備える。
【００３２】
ギア部１７Ａは、トナーカートリッジ１００が現像装置１に装着されたときに、トナーカートリッジ１００のギア部１０４Ａ（図９参照）と噛み合うための構成である。また、ギア部１７Ｂは、トナーカートリッジ１００が現像装置１に装着されたときに、トナーカートリッジ１００のギア部１０４Ｂ（図１２参照）と噛み合うための構成である。ギア部１７Ａは、第１方向において、シャッタ１１の一端部に位置する。ギア部１７Ａは、第１方向において、シャッタ１１の他端部に位置する。ギア部１７Ａは、第２方向に並ぶ複数のギア歯を備える。また、ギア部１７Ｂは、第２方向に並ぶ複数のギア歯を備える。すなわち、ギア部１７Ａの複数のギア歯は、シャッタ１１の移動方向に並ぶ。また、ギア部１７Ｂの複数のギア歯は、シャッタ１１の移動方向に並ぶ。
【００３３】
２．２  ロック部材
図４および図５に示すように、ロック部材１２Ａおよびロック部材１２Ｂは、トナーカートリッジ１００が現像装置１から取り外されている場合に、シャッタ１１を閉位置にロックするための構成である。シャッタ１１を閉位置にロックするとは、シャッタ１１が閉位置から開位置へ向かって移動することを止めることである。ロック部材１２Ａおよびロック部材１２Ｂは、シャッタ１１を閉位置にロックするロック位置（図５参照）と、シャッタ１１に対するロックを解除する解除位置（図１１参照）との間を移動可能である。ロック部材１２Ａおよびロック部材１２Ｂは、トナーカートリッジ１００が現像装置１から取り外されたときに、ロック位置に位置する。ロック部材１２Ａは、トナーカートリッジ１００が現像装置１に装着されたときに、トナーカートリッジ１００の突起１０５Ａ（図９参照）と接触して、ロック位置から解除位置へ移動する。ロック部材１２Ｂは、トナーカートリッジ１００が現像装置１に装着されたときに、トナーカートリッジ１００の突起１０５Ｂ（図１１参照）と接触して、ロック位置から解除位置へ移動する。ロック部材１２Ａは、第１方向において、ロック部材１２Ｂから離れている。第１方向において、ロック部材１２Ａとロック部材１２Ｂとの間には、シャッタ１１が位置する。ロック部材１２Ａおよびロック部材１２Ｂは、第２方向に延びる。詳しくは、図３Ｂおよび図５に示すように、ロック部材１２Ａおよびロック部材１２Ｂは、それぞれ、本体部１８と、第１突出部１９と、第２突出部２０（図５参照）とを備える。
【００３４】
本体部１８は、第２方向に延びる。すなわち、本体部１８は、シャッタ１１の移動方向Ｍに延びる。本体部１８は、カバー１３の一部から延びる。詳しくは、本体部１８は、基端Ｅ１と、第２方向において基端Ｅ１から離れた先端Ｅ２とを備える。基端Ｅ１は、カバー１３の一部に接続される。先端Ｅ２は、シャッタ１１の閉位置から開位置への移動方向Ｍ（図３Ａ参照）において、基端Ｅ１よりも上流側に位置する。
【００３５】
第１突出部１９は、本体部１８の先端Ｅ２に位置する。第１突出部１９は、本体部１８から突出する。詳しくは、ロック部材１２Ａの第１突出部１９は、第１方向において、ロック部材１２Ｂに近づく方向へ向かって突出する。また、ロック部材１２Ｂの第１突出部１９は、第１方向において、ロック部材１２Ａに近づく方向へ向かって突出する。第１突出部１９は、装着方向において、筐体３とシャッタ１１との間に位置する。すなわち、ロック部材１２Ａおよびロック部材１２Ｂは、装着方向において、筐体３とシャッタ１１との間に位置する。ロック部材１２Ａの第１突出部１９は、トナーカートリッジ１００が現像装置１から取り外された状態で、シャッタ１１が閉位置に位置するときに、シャッタ１１のロック溝１４Ａに嵌まる。すなわち、ロック部材１２Ａの第１突出部１９は、ロック部材１２Ａがロック位置に位置するときに、シャッタ１１のロック溝１４Ａに嵌まる。ロック部材１２Ｂの第１突出部１９は、トナーカートリッジ１００が現像装置１から取り外された状態で、シャッタ１１が閉位置に位置するときに、シャッタ１１のロック溝１４Ｂに嵌まる。すなわち、ロック部材１２Ｂの第１突出部１９は、ロック部材１２Ｂがロック位置に位置するときに、シャッタ１１のロック溝１４Ｂに嵌まる。これにより、ロック部材１２Ａおよびロック部材１２Ｂがロック位置に位置した状態で、シャッタ１１が閉位置から開位置へ移動すると、ロック部材１２Ａおよびロック部材１２Ｂは、ロック部材１２Ａの第１突出部１９がシャッタ１１のロック突起１５Ａに接触するか、または、ロック部材１２Ｂの第１突出部１９がシャッタ１１のロック突起１５Ｂに接触し、シャッタ１１の移動を止める。
【００３６】
第２突出部２０は、装着方向において、筐体３から離れる方向へ向かって、本体部１８から突出する。ロック部材１２Ａの第２突出部２０は、トナーカートリッジ１００が現像装置１に装着されたときに、トナーカートリッジ１００の突起１０５Ａ（図９参照）と接触する。また、ロック部材１２Ｂの第２突出部２０は、トナーカートリッジ１００が現像装置１に装着されたときに、トナーカートリッジ１００の突起１０５Ｂ（図１１参照）と接触する。これにより、ロック部材１２Ａおよびロック部材１２Ｂは、ロック位置から解除位置へ移動する。このとき、本体部１８は、装着方向に湾曲する。
【００３７】
なお、図５および図６に示すように、後述する筐体３の取付部４１は、ロック部材１２Ａに向かい合う凹部２１Ａと、ロック部材１２Ａに向かい合う凹部２１Ｂとを有する。これにより、ロック部材１２Ａは、装着方向に湾曲したときに、凹部２１Ａ内に受け入れられる。また、ロック部材１２Ａは、装着方向に湾曲したときに、凹部２１Ｂ内に受け入れられる。また、ロック部材１２Ａおよびロック部材１２Ｂは、本体部１８が湾曲した状態から復元することにより、解除位置からロック位置へ移動する。
【００３８】
２．３  カバー
カバー１３は、図１に示すように、第１方向における筐体３の一端部、具体的には、後述する筐体３の取付部４１（図６参照）に取り付けられる。
【００３９】
２．３．１  カバー部
カバー１３は、図３Ｂおよび図４に示すように、カバー部３１と、シール部材３３（図４参照）と、複数のリブ３５（図３Ｂ参照）とを備える。また、カバー１３は、第２開口３２を有する。
【００４０】
カバー部３１は、シャッタ１１を覆うための部分である。カバー部３１は、図１０および図１３に示すように、装着方向において、シャッタ１１に対して、ロック部材１２Ａおよびロック部材１２Ｂの反対側に位置する。すなわち、カバー１３は、装着方向において、シャッタ１１に対してロック部材１２Ａおよびロック部材１２Ｂの反対側に位置する。これにより、ロック部材１２Ａおよびロック部材１２Ｂが装着方向においてシャッタ１１に当たったときに、シャッタ１１をカバー部３１で押さえて、シャッタ１１と、後述する筐体３のシール部材４３（図６参照）との間に隙間ができることを抑制できる。また、ロック部材１２Ａおよびロック部材１２Ｂからの押圧力をカバー部３１で受けて、トナーカートリッジ１００が筐体３から離れることを抑制できる。カバー部３１は、図３Ｂおよび図４に示すように、第１方向および第２方向に延びる。第１方向におけるカバー部３１の長さは、第１方向におけるシャッタ１１の長さよりも短い。カバー部３１の外表面は、トナーカートリッジ１００のカバー１０２の外表面に沿うように、湾曲している。
【００４１】
第２開口３２は、カバー部３１に設けられている。第２開口３２は、シャッタ１１が開位置に位置するときに、シャッタ開口１１Ａを介して、第１開口３Ｂ（図１３参照）と連通する。また、第２開口３２は、シャッタ１１が閉位置に位置するときに、シャッタ開口１１Ａと重ならないことにより、第１開口３Ｂと連通しない。
【００４２】
シール部材３３は、トナーカートリッジ１００が現像装置１に取り付けられたときに、トナーカートリッジ１００とカバー１３との間をシールするための部材である。シール部材３３は、カバー部３１の外表面に取り付けられる。シール部材３３は、第２開口３２の縁に設けられる。シール部材３３は、第２開口３２の周りを囲む。
【００４３】
複数のリブ３５は、カバー１３の内部に設けられる。詳しくは、複数のリブ３５は、カバー部３１の内部に設けられる。複数のリブ３５のそれぞれは、第１方向または第２方向に延びる。第１方向に延びる複数のリブ３５は、第２方向において、互いに間隔を隔てて並ぶ。第２方向に延びる複数のリブ３５は、第１方向において、互いに間隔を隔てて並ぶ。第１方向に延びるリブ３５と、第２方向に延びるリブ３５とは、交差する。複数のリブ３５は、シャッタ１１（図３Ａ参照）と接触する。これにより、シャッタ１１とカバー１３との接触面積を低減し、シャッタ１１を円滑に移動させることができる。
【００４４】
２．３．２  第３開口
また、図４に示すように、カバー１３は、第３開口３６Ａおよび第３開口３６Ｂを有する。第３開口３６Ａは、第１方向において、カバー部３１に対して、第３開口３６Ｂの反対側に位置する。シャッタ１１のギア部１７Ａ、および、ロック部材１２Ａは、第３開口３６Ａから露出する。シャッタ１１のギア部１７Ｂ、および、ロック部材１２Ｂは、第３開口３６Ｂから露出する。ギア部１７Ａは、第１方向において、カバー部３１に対して、ギア部１７Ｂの反対側に位置する。カバー部３１は、第１方向において、ガイド面Ｓ１１と、ガイド面Ｓ１２とを備える。ガイド面Ｓ１１は、ギア部１７Ａと接触することにより、シャッタ１１の移動をガイドするための面である。ガイド面Ｓ１２は、ギア部１７Ｂと接触することにより、シャッタ１１の移動をガイドするための面である。ガイド面Ｓ１１は、第１方向において、カバー部３１の一端部に位置する。ガイド面Ｓ１２は、第１方向において、カバー部３１の他端部に位置する。ガイド面Ｓ１１およびガイド面Ｓ１２は、第２方向に延びる。すなわち、ガイド面Ｓ１１およびガイド面Ｓ１２は、シャッタ１１の移動方向に延びる。ギア部１７Ａは、第１方向において、ガイド面Ｓ１１と向かい合う。ギア部１７Ｂは、第１方向において、ガイド面Ｓ１２と向かい合う。
【００４５】
２．３．３  溝
さらに、カバー１３は、図１に示すように、溝３７を有する。
【００４６】
溝３７には、トナーカートリッジ１００が現像装置１に装着されたときに、トナーカートリッジ１００に設けられる突起１０３Ｂ（図９参照）が嵌まる。溝３７は、装着方向に延びる。溝３７は、第２方向において、トナーカートリッジ１００の突起１０３Ｂを受け入れ可能な幅を有する。溝３７は、突起１０３Ｂが嵌まることにより、トナーカートリッジ１００を第１開口３Ｂに対して位置決めする。詳しくは、突起１０３Ｂが溝３７に嵌まることにより、トナーカートリッジ１００のシャッタ１０３（図９参照）は、現像装置１に対して、回転しないように固定される。これにより、図１０に示すように、トナーカートリッジ１００の開口１０３Ａは、第１開口３Ｂに対して位置決めされる。具体的には、トナーカートリッジ１００の開口１０３Ａは、開口１０３Ａの少なくとも一部が装着方向において第１開口３Ｂと重なる位置に、位置決めされる。
【００４７】
２．４  筐体の詳細
次いで、現像装置１の筐体３の詳細について説明する。
【００４８】
２．４．１  取付部、シール部材およびボス
筐体３は、図６に示すように、さらに、取付部４１と、シール部材４３と、少なくとも１つのボスとを備える。少なくとも１つのボスは、具体的には、第１ボス４２Ａと、複数の第２ボス４２Ｂとである。
【００４９】
取付部４１は、カバー１３が取り付けられるための部分である。取付部４１は、第１方向において、筐体３の一端部に位置する。取付部４１は、第１方向および第２方向に延びる。取付部４１は、第１開口３Ｂを有する。図１０に示すように、第１開口３Ｂの少なくとも一部は、シャッタ１１が閉位置に位置するときに、装着方向において、シャッタ開口１１Ａと重ならない。また、図１３に示すように、第１開口３Ｂの少なくとも一部は、シャッタ１１が開位置に位置するときに、装着方向において、シャッタ開口１１Ａと重なる。これにより、第１開口３Ｂは、トナーカートリッジ１００が現像装置１に取り付けられ、シャッタ１１が開位置に位置するときに、第２開口３２およびシャッタ開口１１Ａを介して、トナーを受け入れ可能となる。
【００５０】
シール部材４３は、筐体３とシャッタ１１との間をシールするための部材である。図６および図１３に示すように、シール部材４３は、第１開口３Ｂの縁に設けられる。シール部材４３は、第１開口３Ｂの周りを囲む。シール部材４３は、装着方向において、筐体３とシャッタ１１との間に位置する。シール部材４３は、装着方向において、筐体３とシャッタ１１とに接触する。詳しくは、シール部材４３は、装着方向において、取付部４１の外表面に接着剤で貼り付けられ、シャッタ１１に接触する。シャッタ１１は、第２方向において、シール部材４３に対してスライド可能である。
【００５１】
第１ボス４２Ａは、図４および図６に示すように、第１方向において、第１開口３Ｂに対して、溝３７の反対側に位置する。また、第１ボス４２Ａは、第１方向において、ロック部材１２Ｂに対して、第１開口３Ｂの反対側に位置する。第１ボス４２Ａは、第１方向において、第１開口３Ｂに対して間隔を隔てて位置する。第１ボス４２Ａは、装着方向に延びる。すなわち、第１ボス４２Ａは、溝３７が延びる方向に延びる。第１ボス４２Ａは、円筒形状を有する。第１ボス４２Ａは、図７に示すように、装着方向において、一端部Ｅ１１と他端部Ｅ１２とを有する。一端部Ｅ１１は、装着方向において、取付部４１に対して、筐体３の内部空間３Ａの反対側に位置する。つまり、第１ボス４２Ａは、装着方向において、筐体３の内部空間３Ａから遠ざかる方向へ向かって、取付部４１の外表面から突出する。装着方向において、筐体３の内部空間３Ａから遠ざかる方向は、第１ボス４２Ａの突出方向である。また、一端部Ｅ１１は、第１ボス４２Ａの突出方向における第１ボス４２Ａの先端である。一端部Ｅ１１は、第１ボス４２Ａの突出方向において、シール部材３３の表面Ｓ３１よりも取付部４１の近くに位置する。また、他端部Ｅ１２は、筐体３の内部空間３Ａ内に位置する。すなわち、第１ボス４２Ａの少なくとも一部は、筐体３の内部空間３Ａ内に位置する。図２に示すように、第１ボス４２Ａの他端部Ｅ１２と第２軸Ａ２との距離Ｄ１は、筐体３の内面Ｓ４１と第２軸Ａ２との距離Ｄ２よりも長い。筐体３の内面Ｓ４１は、第２軸Ａ２に対して第１開口３Ｂの反対側に位置する。
【００５２】
複数の第２ボス４２Ｂのそれぞれは、図４および図６に示すように、第１方向において、第１開口３Ｂと溝３７との間に位置する。また、複数の第２ボス４２Ｂのそれぞれは、第１方向において、ロック部材１２Ａに対して、第１開口３Ｂの反対側に位置する。複数の第２ボス４２Ｂのそれぞれは、第１方向において、第１開口３Ｂに対して間隔を隔てて位置する。複数の第２ボス４２Ｂは、第２方向に並んでいる。複数の第２ボス４２Ｂは、第２方向において、互いに間隔を隔てている。第１開口３Ｂは、第２方向において、複数の第２ボス４２Ｂの間に位置する。複数の第２ボス４２Ｂのそれぞれは、装着方向に延びる。複数の第２ボス４２Ｂのそれぞれは、円筒形状を有する。複数の第２ボス４２Ｂのそれぞれは、装着方向において、筐体３の内部空間３Ａから遠ざかる方向へ向かって、取付部４１の外表面から突出する。
【００５３】
そして、第１ボス４２Ａの一端部Ｅ１１は、カバー１３の第１貫通穴３８Ａ（図３Ｂ参照）に挿入される。また、１つの第２ボス４２Ｂは、カバー１３の１つの第２貫通穴３８Ｂ（図３Ｂ参照）に挿入される。すなわち、カバー１３は、複数の穴、具体的には、第１貫通穴３８Ａと、複数の第２貫通穴３８Ｂとを有する。第１貫通穴３８Ａは、第１ボス４２Ａが延びる方向に延びる。第２貫通穴３８Ｂは、第２ボス４２Ｂが延びる方向に延びる。これにより、カバー１３は、第１方向および第２方向において、取付部４１に対して、固定される。また、図４に示すように、第１ボス４２Ａには、一端部Ｅ１１がカバー１３の第１貫通穴３８Ａに挿入された状態で、ねじ４４が取り付けられる。また、１つの第２ボス４２Ｂには、１つの第２ボス４２Ｂがカバー１３の１つの第２貫通穴３８Ｂに挿入された状態で、１つのねじ４４が取り付けられる。詳しくは、図７に示すように、ねじ４４は、頭部４４Ａと軸部４４Ｂとを備える。頭部４４Ａは、装着方向において、カバー１３の一部に対して、取付部４１の反対側に位置する。頭部４４Ａは、装着方向において、カバー１３の一部に向かい合う。これにより、カバー１３は、装着方向において、取付部４１に対して、複数のねじ４４で固定される。なお、このとき、第１ボス４２Ａに取り付けられるねじ４４の軸部４４Ｂは、第１ボス４２Ａを貫通する。
【００５４】
２．４．２  突出部
筐体３は、図１および図２に示すように、さらに、突出部５１を備える。
【００５５】
突出部５１は、第１方向において、取付部４１（図６参照）と並ぶ。突出部５１は、装着方向において、筐体３の内部空間３Ａから遠ざかる方向へ向かって、筐体３の内部空間３Ａに対して、取付部４１よりも突出する。突出部５１は、第１方向に延びる。突出部５１は、取付部４１にカバー１３が取り付けられた状態で、第１方向において、カバー１３と向かい合う。詳しくは、突出部５１は、取付部４１にカバー１３が取り付けられた状態で、第１方向において、カバー１３と接触する。突出部５１は、第２内部空間５１Ａを有する。第２内部空間５１Ａは、筐体３の内部空間３Ａに連通する。装着方向において、突出部５１の内面Ｓ５１と第２軸Ａ２との距離は、取付部４１と第２軸Ａ２との距離よりも長い。
【００５６】
２．４．３  アジテータおよび突起
図８に示すように、アジテータ４の羽根６は、第１方向に延びる。アジテータ４の羽根６は、第１方向において、一端部と他端部とを有する。他端部は、第１方向において、一端部から離れている。アジテータ４の羽根６には、複数の切り込みＣが入っている。複数の切り込みＣは、第１方向において、互いに間隔を隔てている。これにより、羽根６は、複数の部分に分割されている。アジテータ４の羽根６は、第１羽根６Ａと、第２羽根６Ｂとを備える。第１羽根６Ａおよび第２羽根６Ｂは、アジテータシャフト５（図２参照）とともに回転可能である。
【００５７】
第１羽根６Ａは、第１方向において、羽根６の一端部に位置する。第１羽根６Ａは、第１方向に延びる。第１羽根６Ａは、取付部４１の内面と接触可能である。第１方向における第１羽根６Ａの長さＬ１は、第１方向における取付部４１の長さＬ２よりも長い。詳しくは、第１方向における第１羽根６Ａの長さＬ１は、第１方向における取付部４１の長さＬ２以上、第１方向における取付部４１の長さＬ２の１．５倍以下、好ましくは、１．２倍以下である。これにより、第１羽根６Ａが取付部４１の内面と接触したときに、第１羽根６Ａがねじれることを抑制できる。
【００５８】
第２羽根６Ｂは、第１方向において、切り込みＣを介して、第１羽根６Ａと並ぶ。第２羽根６Ｂは、第１羽根６Ａと、切り込みＣに相当する間隔を隔てて位置する。第２羽根６Ｂは、第１方向に延びる。
【００５９】
筐体３は、図１３に示すように、さらに、突起６１を備える。
【００６０】
突起６１は、第１羽根６Ａが第１開口３Ｂとアジテータシャフト５との間を通過するときに、第１羽根６Ａに接触するための構成である。突起６１は、アジテータシャフト５と取付部４１との間を通過する第１羽根６Ａの移動方向において、第１開口３Ｂの上流側の縁から内部空間３Ａ内に突出する。突起６１には、アジテータシャフト５と取付部４１との間を通過するときに、第１羽根６Ａが接触する。すると、第１羽根６Ａは、突起６１との接触により、湾曲した状態を維持しながら、第１開口３Ｂとアジテータシャフト５との間を通過する。これにより、第１羽根６Ａが第１開口３Ｂとアジテータシャフト５との間を通過するときに、内部空間３Ａ内のトナーが第１羽根６Ａによって第１開口３Ｂを介して内部空間３Ａの外へ押し出されることが、抑制される。
【００６１】
３．トナーカートリッジの概略
次いで、図９を参照して、トナーカートリッジ１００の概略について説明する。
【００６２】
トナーカートリッジ１００は、トナーを収容可能である。トナーカートリッジ１００は、筐体１０１、カバー１０２、シャッタ１０３、ギア部１０４Ａ、ギア部１０４Ｂ、突起１０５Ａおよび突起１０５Ｂを備える。
【００６３】
３．１  筐体
筐体１０１は、トナーを収容するための部材である。筐体１０１は、所定方向に延びる。筐体１０１は、第１トナー収容部１０１Ａと、第２トナー収容部１０１Ｂとを備える。
【００６４】
第１トナー収容部１０１Ａは、所定方向に延びる。第１トナー収容部１０１Ａは、円筒形状を有する。第１トナー収容部１０１Ａは、所定方向に延びる内部空間を有する。第１トナー収容部１０１Ａの内部空間は、トナーを収容可能である。第１トナー収容部１０１Ａ内には、アジテータ（図示せず）が設けられている。アジテータは、第１トナー収容部１０１Ａ内のトナー撹拌し、第２トナー収容部１０１Ｂへ搬送するための部材である。
【００６５】
第２トナー収容部１０１Ｂは、第１トナー収容部１０１Ａの径方向において、第１トナー収容部１０１Ａの一方側に位置する。第２トナー収容部１０１Ｂは、所定方向に延びる。第２トナー収容部１０１Ｂは、円筒形状を有する。第２トナー収容部１０１Ｂの外径は、第１トナー収容部１０１Ａの外径よりも小さい。第２トナー収容部１０１Ｂは、所定方向に延びる内部空間を有する。第２トナー収容部１０１Ｂの内部空間は、第１トナー収容部１０１Ａの内部空間と接続される。第２トナー収容部１０１Ｂ内には、オーガ１０１Ｃ（図１０参照）が設けられている。オーガ１０１Ｃは、第２トナー収容部１０１Ｂ内のトナーを所定方向に搬送するための部材である。
【００６６】
３．２  カバー
カバー１０２は、シャッタ１０３を覆う部材である。カバー１０２は、所定方向において、第２トナー収容部１０１Ｂに一端部に取り付けられる。カバー１０２は、所定方向に延びる。カバー１０２は、円筒形状を有する。カバー１０２は、ギア部１０４Ａ、ギア部１０４Ｂ、突起１０５Ａおよび突起１０５Ｂを備える。また、カバー１０２は、開口１０２Ａを有する。
【００６７】
ギア部１０４Ａおよびギア部１０４Ｂは、トナーカートリッジ１００が現像装置１に対してピボットするときに、現像装置１のシャッタ１１（図１２参照）を動かすための構成である。ギア部１０４Ａは、所定方向において、ギア部１０４Ｂから離れている。ギア部１０４Ａは、複数のギア歯を備える。ギア部１０４Ａの複数のギア歯は、シャッタ１０３に対してカバー１０２が回転する方向に並ぶ。ギア部１０４Ｂは、複数のギア歯を備える。ギア部１０４Ｂの複数のギア歯は、シャッタ１０３に対してカバー１０２が回転する方向に並ぶ。
【００６８】
突起１０５Ａは、トナーカートリッジ１００が現像装置１に装着された状態で、トナーカートリッジ１００が現像装置１に対して第１位置に位置するときに、現像装置１のロック部材１２Ａ（図１参照）を解除位置に位置させるための構成である。突起１０５Ｂは、トナーカートリッジ１００が現像装置１に装着された状態で、トナーカートリッジ１００が現像装置１に対して第１位置に位置するときに、現像装置１のロック部材１２Ｂ（図１１参照）を解除位置に位置させるための構成である。突起１０５Ａは、所定方向において、ギア部１０４Ａに対して、ギア部１０４Ｂの反対側に位置する。突起１０５Ｂは、所定方向において、ギア部１０４Ｂに対して、ギア部１０４Ａの反対側に位置する。突起１０５Ａおよび突起１０５Ｂは、第１トナー収容部１０１Ａの径方向において、第２トナー収容部１０１Ｂに対して第１トナー収容部１０１Ａの反対側へ突出する。
【００６９】
開口１０２Ａは、所定方向において、ギア部１０４Ａとギア部１０４Ｂとの間に位置する。
【００７０】
３．３  シャッタ
シャッタ１０３は、開口１０２Ａを開閉するための部材である。シャッタ１０３は、カバー１０２の内部空間内に位置する。シャッタ１０３は、所定方向において、第２トナー収容部１０１Ｂに一端部に取り付けられる。シャッタ１０３は、所定方向に延びる。シャッタ１０３は、円筒形状を有する。シャッタ１０３の内部空間は、第２トナー収容部１０１Ｂの内部空間と接続される。シャッタ１０３は、カバー１０２に対して、開口１０２Ａを開ける開位置（図１３参照）と、開口１０２Ａを閉じる閉位置（図１０参照）との間を移動可能である。詳しくは、シャッタ１０３は、開口１０３Ａ（図１０参照）を有する。シャッタ１０３がカバー１０２に対して開位置に位置するときに、開口１０３Ａの少なくとも一部は、開口１０２Ａと重なる。これにより、シャッタ１０３は、シャッタ１０３の内部空間内のトナーが開口１０３Ａおよび開口１０２Ａを介して排出されることを許容する。また、シャッタ１０３がカバー１０２に対して閉位置に位置するときに、開口１０３Ａは、開口１０２Ａと重ならない。これにより、シャッタ１０３は、シャッタ１０３の内部空間内のトナーが開口１０３Ａおよび開口１０２Ａを介して排出されることを許容しない。
【００７１】
また、シャッタ１０３は、突起１０３Ｂを備える。
【００７２】
突起１０３Ｂは、トナーカートリッジ１００が現像装置１に装着されたときに、現像装置１に対して位置決めされる部分である。突起１０３Ｂは、所定方向において、カバー１０２に対して、第２トナー収容部１０１Ｂの反対側に位置する。突起１０３Ｂは、シャッタ１０３から所定方向に延びる。これにより、突起１０３Ｂは、シャッタ１０３とともに、カバー１０２に対して回転可能である。突起１０３Ｂは、トナーカートリッジ１００が現像装置１に装着されたときに、現像装置１の溝３７（図１参照）に嵌まる。これにより、突起１０３Ｂは、トナーカートリッジ１００が現像装置１に装着されたときに、現像装置１に対して回転しないように位置決めされる。
【００７３】
４．現像装置に対するトナーカートリッジの着脱
次いで、図１０から図１３を参照して、現像装置１に対するトナーカートリッジ１００の着脱について説明する。
【００７４】
４．１  現像装置にトナーカートリッジを取り付ける動作
現像装置１にトナーカートリッジ１００が取り付けられる場合、図１０に示すように、まず、現像装置１にトナーカートリッジ１００が装着される。これにより、トナーカートリッジ１００は、現像装置１に対して、第１位置に位置する。このとき、トナーカートリッジ１００の突起１０３Ｂ（図９参照）は、現像装置１の溝３７（図１参照）に嵌まる。これにより、シャッタ１０３は、現像装置１に対して、回転しないように位置決めされる。このとき、トナーカートリッジ１００のシャッタ１０３は、カバー１０２に対して閉位置に位置し、開口１０２Ａを閉じている。
【００７５】
また、このとき、現像装置１のシャッタ１１は、図１０に示すように、閉位置に位置し、第１開口３Ｂを閉じている。また、図１１に示すように、トナーカートリッジ１００の突起１０５Ｂは、ロック部材１２Ｂの第２突出部２０に接触する。また、突起１０５Ａは、ロック部材１２Ａの第２突出部２０に接触する。すると、ロック部材１２Ａおよびロック部材１２Ｂは、それぞれ、ロック位置から解除位置へ移動する。これにより、シャッタ１１は、閉位置から開位置へ移動可能となる。
【００７６】
次いで、ユーザは、図１２に示すように、トナーカートリッジ１００を、現像装置１に対して、第１位置から第２位置へ向かってピボットさせる。
【００７７】
すると、筐体１０１およびカバー１０２が、現像装置１に対して位置決めされたシャッタ１０３に対して回転することにより、トナーカートリッジ１００が現像装置１に対して第１位置から第２位置へ向かってピボットする。すると、ギア部１０４Ａとギア部１７Ａとが順に噛み合うとともに、ギア部１０４Ｂとギア部１７Ｂとが順に噛み合うことにより、シャッタ１１が閉位置から開位置へ向かって移動する。
【００７８】
そして、図１３に示すように、トナーカートリッジ１００が現像装置１に対して第２位置に位置すると、シャッタ１１が開位置に位置する。すると、シャッタ開口１１Ａの少なくとも一部は、第１開口３Ｂおよび第２開口３２と重なる。これにより、現像装置１は、第２開口３２、シャッタ開口１１Ａおよび第１開口３Ｂを介して、トナーカートリッジ１００からのトナーを受け入れ可能となる。
【００７９】
また、このとき、トナーカートリッジ１００のシャッタ１０３は、カバー１０２に対して開位置に位置する。すると、開口１０３Ａの少なくとも一部は、開口１０２Ａと重なる。これにより、トナーカートリッジ１００は、開口１０３Ａおよび開口１０２Ａを介して、トナーを排出可能となる。
【００８０】
これにより、現像装置１に対するトナーカートリッジ１００の取り付けが完了する。
【００８１】
４．２  現像装置からトナーカートリッジを取り外す動作
現像装置１からトナーカートリッジ１００を取り外す場合、ユーザは、トナーカートリッジ１００を、現像装置１に対して、第２位置から第１位置へ向かってピボットさせる。
【００８２】
すると、図１２に示すように、現像装置１のシャッタ１１は、ギア部１０４Ａがギア部１７Ａと噛み合い、ギア部１０４Ｂがギア部１７Ｂと噛み合うことにより、開位置から閉位置へ向かって移動する。
【００８３】
そして、図１０および図１１に示すように、トナーカートリッジ１００が現像装置１に対して第１位置に位置すると、シャッタ１１は、閉位置に位置する。また、このとき、トナーカートリッジ１００の突起１０５Ｂは、ロック部材１２Ｂの第２突出部２０に接触している。また、突起１０５Ａは、ロック部材１２Ａの第２突出部２０に接触している。これにより、ロック部材１２Ａおよびロック部材１２Ｂは、それぞれ、解除位置に位置している。
【００８４】
また、このとき、トナーカートリッジ１００のシャッタ１０３は、カバー１０２に対して閉位置に位置し、開口１０２Ａを閉じる。
【００８５】
次いで、ユーザが現像装置１からトナーカートリッジ１００を引き抜くと、図５に示すように、ロック部材１２Ａおよびロック部材１２Ｂは、それぞれ、解除位置からロック位置へ移動する。これにより、シャッタ１１は、ロック部材１２Ａおよびロック部材１２Ｂによって、閉位置にロックされる。
【００８６】
これにより、現像装置１からのトナーカートリッジ１００の取り外しが完了する。
【００８７】
５．トナーカートリッジから現像装置へのトナーの搬送
図１３に示すように、トナーカートリッジ１００が現像装置１に装着され、かつ、トナーカートリッジ１００が現像装置１に対して第２位置に位置しているときに、画像形成装置が画像形成動作を実行すると、画像形成装置からの駆動力により、トナーカートリッジ１００のオーガ１０１Ｃ、および、図示しないアジテータが回転する。また、画像形成装置からの駆動力により、現像装置１のアジテータ４および現像ローラ２（図２参照）が回転する。
【００８８】
すると、トナーカートリッジ１００内のトナーは、アジテータおよびオーガ１０１Ｃの回転により、開口１０３Ａまで搬送され、開口１０３Ａおよび開口１０２Ａを介して、排出される。排出されたトナーは、第２開口３２、シャッタ開口１１Ａおよび第１開口３Ｂを介して、現像装置１の内部空間３Ａ内に受け入れられる。これにより、トナーカートリッジ１００から現像装置１へのトナーの搬送が完了する。なお、内部空間３Ａ内に受け入れられたトナーは、アジテータ４の回転により、現像ローラ２に供給され、現像ローラ２の回転により、感光体に供給される。
【００８９】
６．作用効果
現像装置１では、図３Ａに示すように、現像装置１へのトナーカートリッジ１００の装着方向において、シャッタ１１に対して、ロック部材１２Ａおよびロック部材１２Ｂの反対側に、カバー１３が位置する。
【００９０】
そのため、ロック部材１２Ａおよびロック部材１２Ｂがシャッタ１１に当たったときに、ロック部材１２Ａおよびロック部材１２Ｂからの押圧力をカバー１３で受けることができる。
【００９１】
これにより、ロック部材１２Ａおよびロック部材１２Ｂがシャッタ１１に当たった状態でも、現像装置１の筐体３とシャッタ１１との間や、現像装置１の第１開口３Ｂと、トナーカートリッジ１００の開口１０３Ａとの間に隙間が生じることを抑制できる。
【００９２】
また、シャッタ１１を、カバー１３で押さえながら、開位置（図１３参照）と閉位置（図１１参照）との間で移動させることができる。
【００９３】
その結果、シャッタ１１を円滑に開閉することができ、かつ、トナー漏れを防止できる。
【符号の説明】
【００９４】
１        現像装置
２        現像ローラ
３        筐体
３Ａ      内部空間
３Ｂ      第１開口
４        アジテータ
５        アジテータシャフト
６Ａ      第１羽根
６Ｂ      第２羽根
１１      シャッタ
１２Ａ    ロック部材
１２Ｂ    ロック部材
１３      カバー
１４Ａ    ロック溝
１４Ｂ    ロック溝
１８      本体部
１９      第１突出部
２０      第２突出部
３２      第２開口
３５      リブ
３６Ａ    第３開口
３６Ｂ    第３開口
３７      溝
３８Ａ    第１貫通穴
３８Ｂ    第２貫通穴
４１      取付部
４２Ａ    第１ボス
４２Ｂ    第２ボス
５１      突出部
５１Ａ    第２内部空間
６１      突起
１００    トナーカートリッジ
１０３Ｂ  突起
Ａ１      第１軸
Ａ２      第２軸
Ｄ１      距離
Ｄ２      距離
Ｓ１１    ガイド面
Ｓ１２    ガイド面
Ｓ３１    シール部材の表面
Ｓ４１    筐体の内面
Ｓ５１    突出部の内面
【図１】
2018031984.tif 000003
【図２】
2018031984.tif 000004
【図３】
2018031984.tif 000005
【図４】
2018031984.tif 000006
【図５】
2018031984.tif 000007
【図６】
2018031984.tif 000008
【図７】
2018031984.tif 000009
【図８】
2018031984.tif 000010
【図９】
2018031984.tif 000011
【図１０】
2018031984.tif 000012
【図１１】
2018031984.tif 000013
【図１２】
2018031984.tif 000014
【図１３】
2018031984.tif 000015